(57)【要約】【課題】自然エネルギーを利用し、かつ、低コストで住宅内の冷暖房を実現することが可能な地下室の構造を提供する。【解決手段】地下室１００は、地面に掘られた穴の四方の内壁を覆うコンクリート躯体と、コンクリート躯体から間隔を開けて配置された断熱材と、コンクリート躯体と断熱材との間に配置され、外部とは遮蔽された支持板構造と、からなる。支持板構造１３０は複数の支持板からなり、内部に空気流通路１４０を形成している。空気取り入れ口から支持板構造１３０の内部に流入した空気は地熱により加熱され、空気取り出し口から放出される。【選択図】図１
0003135769.tif 000002
【実用新案登録請求の範囲】
【請求項１】
地面に掘られた穴の四方の内壁を覆うコンクリート躯体と、
前記コンクリート躯体から間隔を開けて配置された断熱材と、
前記コンクリート躯体と前記断熱材との間に配置され、外部とは遮蔽された支持板構造と、
からなる地下室の構造であって、
前記支持板構造は複数の支持板からなり、
前記支持板は前記コンクリート躯体と前記断熱材との間に挟まれており、
前記支持板は、前記内壁の一面における前記内壁の一端側と前記一端側と対向する他端側との間において、前記一端側から前記他端側に向かって延び、前記他端側との間に開口通路を形成する第一の支持板と、前記他端側から前記一端側に向かって延び、前記一端側との間に開口通路を形成する第二の支持板と、からなり、
前記第一の支持板と前記第二の支持板は交互に配置されて空気流通路を形成し、
前記支持板構造は、前記空気流通路に空気を流入させる空気取り入れ口と、前記空気流通路から空気を取り出す空気取り出し口とを有するものである地下室の構造。
【請求項２】
前記穴の底面を覆う底面用コンクリート躯体と、
前記底面用コンクリート躯体から間隔を開けて配置された底面用断熱材と、
前記底面用コンクリート躯体と前記底面用断熱材との間に配置された底面用支持板構造と、
をさらに備え、
前記底面用支持板構造は複数の支持板からなり、
前記支持板は前記底面用コンクリート躯体と前記底面用断熱材との間に挟まれており、
前記支持板は、前記底面における一端側と前記一端側と対向する他端側との間において、前記一端側から前記他端側に向かって延び、前記他端側との間に開口通路を形成する第一の支持板と、前記他端側から前記一端側に向かって延び、前記一端側との間に開口通路を形成する第二の支持板と、からなり、
前記第一の支持板と前記第二の支持板は交互に配置されて空気流通路を形成し、
前記底面用支持板構造は、前記空気流通路に空気を流入させる空気取り入れ口と、前記空気流通路から空気を取り出す空気取り出し口とを有するものである請求項１に記載の地下室の構造。
【請求項３】
前記空気取り出し口は隣接する内壁に対応する支持板構造または前記底面用支持板構造の空気取り入れ口に接続されていることを特徴とする請求項１または２に記載の地下室の構造。
【考案の詳細な説明】
【技術分野】
【０００１】
本考案は、地下室の構造、特に、地熱を有効利用することが可能な地下室の構造に関する。
【背景技術】
【０００２】
一般的に、住宅では、夏などの暑い季節にはクーラーが使用され、冬などの寒い季節にはヒーターやストーブなどが使用される。すなわち、電気や石油などを消費することにより、住宅内の温度を適温に維持することが行われている。
【０００３】
電気や石油の消費による温度調節は、言うまでもなく、高コストであり、さらに、近年、問題になっている地球温暖化の観点からも好ましいものではない。
【考案の開示】
【考案が解決しようとする課題】
【０００４】
このため、自然エネルギーを利用した省エネルギー機器が数多く提案されている。
【０００５】
その一つとして、太陽光をエネルギーとして発電を行う太陽電池がある。太陽光をエネルギーとして発電を行うことにより、生成された電気を住宅内の暖房及び冷房に供するものである。
【０００６】
しかしながら、太陽電池はエネルギー変換効率が低く、実用化にはまだ時間がかかるとともに、太陽電池の設備は未だに高コストであり、場合によっては、電気や石油を用いる場合よりも割高になることがある。
【０００７】
本考案はこのような点に鑑みてなされたものであり、自然エネルギーを利用し、かつ、低コストで住宅内の冷暖房を実現することが可能な地下室の構造を提供することを目的とする。
【課題を解決するための手段】
【０００８】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００９】
上記の目的を達成するため、本考案は、地面に掘られた穴（１０１）の四方の内壁を覆うコンクリート躯体（１１０）と、前記コンクリート躯体（１１０）から間隔を開けて配置された断熱材（１２０）と、前記コンクリート躯体（１１０）と前記断熱材（１２０）との間に配置され、外部とは遮蔽された支持板構造（１３０）と、からなる地下室（１００）の構造であって、前記支持板構造（１３０）は複数の支持板からなり、前記支持板は前記コンクリート躯体（１１０）と前記断熱材（１２０）の間に挟まれており、前記支持板は、前記内壁の一面における前記内壁の一端側と前記一端側と対向する他端側との間において、前記一端側から前記他端側に向かって延び、前記他端側との間に開口通路（１１３３）を形成する第一の支持板（１３１）と、前記他端側から前記一端側に向かって延び、前記一端側との間に開口通路（１３４）を形成する第二の支持板（１３２）と、からなり、前記第一の支持板（１３１）と前記第二の支持板（１３２）は交互に配置されて空気流通路（１４０）を形成し、前記支持板構造（１３０）は、前記空気流通路（１４０）に空気を流入させる空気取り入れ口（１４１）と、前記空気流通路（１４０）から空気を取り出す空気取り出し口（１４２）とを有するものである地下室（１００）の構造を提供する。
【００１０】
本考案に係る地下室の構造は、前記穴（１０１）の底面（１０３）を覆う底面用コンクリート躯体（２１０）と、前記底面用コンクリート躯体（２１０）から間隔を開けて配置された底面用断熱材（２２０）と、前記底面用コンクリート躯体（２１０）と前記底面用断熱材（２２０）との間に配置された底面用支持板構造（２３０）と、をさらに備えることができる。前記底面用支持板構造（２３０）は複数の支持板からなり、前記支持板は前記底面用コンクリート躯体（２１０）と前記底面用断熱材（２２０）との間に挟まれており、前記支持板は、前記底面における一端側と前記一端側と対向する他端側との間において、前記一端側から前記他端側に向かって延び、前記他端側との間に開口通路（１３３）を形成する第一の支持板（１３１）と、前記他端側から前記一端側に向かって延び、前記一端側との間に開口通路（１３４）を形成する第二の支持板（１３２）と、からなり、前記第一の支持板（１３１）と前記第二の支持板（１３２）は交互に配置されて空気流通路（１４０）を形成し、前記底面用支持板構造（２３０）は、前記空気流通路（１４０）に空気を流入させる空気取り入れ口（２４１）と、前記空気流通路（１４０）から空気を取り出す空気取り出し口（２４２）とを有する。
【００１１】
前記空気取り出し口（１４２Ａ、１４２Ｂ、１４２Ｃ）は隣接する内壁に対応する支持板構造（１３０）または前記底面用支持板構造（２３０）の空気取り入れ口（１４１、１４１Ａ、２４１）に接続することが可能である。
【考案の効果】
【００１２】
空気は、支持板構造の空気取り入れ口から支持板構造の内部に入り、空気流通路を通過した後、空気取り出し口から放出される。地中の温度は、夏などの暑い季節では、外気の温度よりも低く、また、冬などの暑い季節では、外気の温度よりも高い。このため、空気を空気流通路の内部を通過させることにより、夏などの暑い季節には空気を冷たくすることができ、冬などの暑い季節には空気を暖かくすることができる。このため、適当な空気供給手段を空気取り入れ口に接続し、さらに、空気取り出し口には加熱・冷却空気を利用する装置（例えば、空調機器）を接続させることにより、外気が熱ければ冷たい空気を、外気が冷たければ暖かい空気を室内に供給することができる。
【００１３】
本考案に係る地下室の構造は電気や石油などの高コストの冷暖房源は不要であり、自然エネルギーを利用することにより、低コストで住宅内の冷暖房を実現することが可能である。
【考案を実施するための最良の形態】
【００１４】
（第一の実施形態）
図１は本考案の第一の実施形態に係る地下室１００の構造を上方から見た場合（すなわち、地下室の上層階である一階の側から見た場合）の平面図である。
【００１５】
図１に示すように、本実施形態に係る地下室１００の構造は、地面に掘られた穴１０１の四方の内壁（側壁）を覆うコンクリート躯体１１０と、コンクリート躯体１１０から間隔を開けて配置された断熱材１２０と、コンクリート躯体１１０と断熱材１２０との間に配置された支持板構造１３０と、からなる。
【００１６】
なお、穴１０１の四隅には柱１０２が立てられており、支持板構造１３０はこれら４本の柱１０２の間に形成されている。
【００１７】
コンクリート躯体１１０としては、一枚のコンクリートパネルを用いてもよく、あるいは、複数枚のコンクリートパネルを並べて配置することも可能である。さらには、予め制作されたコンクリート躯体を穴１０１の内壁に沿って配置することの他に、穴１０１の内壁に沿って連続的にコンクリートを打つことにより、コンクリート躯体１１０を形成することも可能である。
【００１８】
支持板構造１３０は複数の支持板からなり、各支持板はコンクリート躯体１１０と断熱材１２０との間に挟まれている。すなわち、後述する開口通路を除いて、各支持板はコンクリート躯体１１０との間に隙間を生じることなく、コンクリート躯体１１０と密接しており、さらに、同様に、断熱材１２０との間に隙間を生じることなく、断熱材１２０と密接している。
【００１９】
図２は、図１のＡ方向から見た場合の支持板構造１３０の平面図である。
【００２０】
支持板構造１３０は複数の支持板からなり、これら複数の支持板は第一の支持板１３１と第二の支持板１３２とからなる。
【００２１】
第一の支持板１３１は、穴１０１の内壁の一面における内壁の上端側と上端側と対向する下端側との間において、上端側から下端側に向かって延び、下端側との間に開口通路１３３を形成している。
【００２２】
第二の支持板１３２は、穴１０１の内壁の上記一面における内壁の上端側と上端側と対向する下端側との間において、下端側から上端側に向かって延び、上端側との間に開口通路１３４を形成している。
【００２３】
第一の支持板１３１と第二の支持板１３２は交互に配置されており、これらの交互に配置された第一の支持板１３１及び第二の支持板１３２により、空気が流通する空気流通路１４０が形成されている。
【００２４】
さらに、支持板構造１３０の水平方向における一端側の上方には空気取り入れ口１４１が形成されており、支持板構造１３０の水平方向における他端側の上方には空気取り出し口１４２が形成されている。
【００２５】
支持板構造１３０の上端側と下端側は空気取り入れ口１４１及び空気取り出し口１４２を除いて外部とは遮蔽されている。
【００２６】
このため、空気は、空気取り入れ口１４１から支持板構造１３０の内部に入り、空気流通路１４０を通過した後、空気取り出し口１４２から出る。
【００２７】
上記のような構造を有する本実施形態に係る地下室１００の構造は以下のような効果を奏する。
【００２８】
空気は、支持板構造１３０の空気取り入れ口１４１から支持板構造１３０の内部に入り、空気流通路１４０を通過した後、空気取り出し口１４２から放出される。
【００２９】
地中の温度は、夏などの暑い季節では、外気の温度よりも低く、また、冬などの暑い季節では、外気の温度よりも高い。このため、空気を空気流通路１４０の内部を通過させることにより、夏などの暑い季節には空気を冷たくすることができ、冬などの暑い季節には空気を暖かくすることができる。
【００３０】
このため、図２に示すように、空気を圧送するコンプレッサ１５１を空気取り入れ口１４１に接続し、さらに、空気取り出し口１４２には空調機器１５２を接続させることにより、外気が熱ければ冷たい空気を、外気が冷たければ暖かい空気を室内に供給することができる。
【００３１】
本実施形態に係る地下室１００の構造は電気や石油などの高コストの冷暖房源は不要であり、自然エネルギーを利用することにより、低コストで住宅内の冷暖房を実現することが可能である。
【００３２】
本実施形態に係る地下室１００の構造は上記の第一の実施形態の構造に限定されるものではなく、種々の改変が可能である。
【００３３】
例えば、支持板構造１３０における第一の支持板１３１及び第二の支持板１３２の配置は図２に示した配置には限定されない。
【００３４】
図３は、第一の支持板及び第二の支持板の配置例を示す平面図である。
【００３５】
図３に示すように、第一の支持板１３１Ａは、穴１０１の内壁の一面内の水平方向における一端側（図３の左側）と当該一端側と対向する他端側（図３の右側）との間において、一端側から他端側に向かって延び、他端側との間に開口通路１３３Ａを形成するように構成し、第二の支持板１３２Ａは、穴１０１の内壁の一面内の水平方向における一端側（図３の左側）と当該一端側と対向する他端側（図３の右側）との間において、他端側から一端側に向かって延び、一端側との間に開口通路１３４Ａを形成するように構成することができる。
【００３６】
空気取り入れ口１４１Ａは上端に形成され、空気取り出し口１４２Ａは下端に形成される。この場合、空気取り出し口１４２Ａは、例えば、隣接する内壁に対応して形成されている支持板構造１３０の空気取り入れ口に接続することが可能である。
【００３７】
このように、穴１０１の４面に形成されている支持板構造１３０の２つまたは３つ以上を相互に接続することにより、各支持板構造１３０の空気流通路１４０を通過する空気をより冷たく、あるいは、より暖かくすることが可能である。
【００３８】
図４は、第一の支持板及び第二の支持板の他の配置例を示す平面図である。
【００３９】
図４に示す配置例は、図２に示した配置例と比較して、空気取り出し口１４２Ｂの位置のみが異なっている。図４に示すように、空気取り出し口１４２Ｂを横向き（水平方向の向き）に形成することにより、図３に示した配置例と同様に、隣接する内壁に対応して形成されている支持板構造１３０の空気取り入れ口に空気取り出し口１４２Ｂを接続することが可能である。
【００４０】
（第二の実施形態）
図５は本考案の第二の実施形態に係る地下室２００の構造の部分的な縦断面図である。
【００４１】
図５に示すように、本実施形態に係る地下室２００の構造は、第一の実施形態に係る地下室１００の構造に加えて、穴１０１の底面１０３を覆う底面用コンクリート躯体２１０と、底面用コンクリート躯体２１０から間隔を開けて配置された底面用断熱材２２０と、底面用コンクリート躯体２１０と底面用断熱材２２０との間に配置された底面用支持板構造２３０と、底面用断熱材２２０上に形成された地下室用床板２４０と、をさらに備えている。
【００４２】
本実施形態における底面用コンクリート躯体２１０、底面用断熱材２２０及び底面用支持板構造２３０は第一の実施形態におけるコンクリート躯体１１０、断熱材１２０及び支持板構造１３０と同一の構造を有している。
【００４３】
すなわち、本実施形態に係る地下室２００の構造においては、地下室形成用の穴１０１の四方の側壁及び底面の全てがコンクリート躯体１１０、断熱材１２０及び支持板構造１３０並びに底面用コンクリート躯体２１０、底面用断熱材２２０及び底面用支持板構造２３０によって覆われている。
【００４４】
図６は穴１０１の側壁の一面に配置された支持板構造１３０と穴１０１の底面１０３上に配置された底面用支持板構造２３０との結合状況の一例を示す概念図である。
【００４５】
例えば、支持板構造１３０としては、図３に示したような構造を有する支持板構造１３０を用い、空気取り出し口１４２Ｃを最下端において下向きに形成する（図３に示した支持板構造１３０では空気取り出し口１４２Ａは右向きに形成されている）。この空気取り出し口１４２Ｃを底面用支持板構造２３０における空気取り入れ口２４１に接続する。底面用支持板構造２３０の空気流通路を通過した空気は空気取り出し口２４２から放出され、隣接する支持板構造１３０の空気取り入れ口または空調機器１５２（図２参照）に供給される。
【００４６】
このように、本実施形態に係る地下室２００の構造によれば、第一の実施形態に係る地下室１００の構造と比較して、より有効に地熱を利用することができる。
【図面の簡単な説明】
【００４７】
【図１】本考案の第一の実施形態に係る地下室の構造を上方から見た場合の平面図である。
【図２】図２は図１のＡ方向から見た場合の支持板構造の平面図である。
【図３】本考案の第一の実施形態における支持板構造内の第一の支持板及び第二の支持板の配置例を示す平面図である。
【図４】本考案の第一の実施形態における支持板構造内の第一の支持板及び第二の支持板の他の配置例を示す平面図である。
【図５】本考案の第二の実施形態に係る地下室の構造の部分的な縦断面図である。
【図６】支持板構造と底面用支持板構造との結合状況の一例を示す概念図である。
【符号の説明】
【００４８】
１００  本考案の第一の実施形態に係る地下室の構造
１０１  地下室形成用穴
１０２  柱
１１０  コンクリート躯体
１２０  断熱材
１３０  支持板構造
１３１  第一の支持板
１３２  第二の支持板
１３３、１３４  開口通路
１４０  空気流通路
１４１、１４１Ａ  空気取り入れ口
１４２、１４２Ａ、１４２Ｂ、１４２Ｃ  空気取り出し口
１５１  コンプレッサ
１５２  空調機器
２００  本考案の第二の実施形態に係る地下室の構造
２１０  底面用コンクリート躯体
２２０  底面用断熱材
２３０  底面用支持板構造
２４０  床板
２４１  空気取り入れ口
２４２  空気取り出し口
【図１】
0003135769.tif 000003
【図２】
0003135769.tif 000004
【図３】
0003135769.tif 000005
【図４】
0003135769.tif 000006
【図５】
0003135769.tif 000007
【図６】
0003135769.tif 000008